(57)【特許請求の範囲】
【請求項１】
透析液をポータブル限外ろ過ユニット（Ａ）に供給するための固定装置（Ｂ）であって、
新鮮な透析液を供給するための装置（３６）、使用された透析液を除去するための装置（４０）、並びに新鮮な及び使用された透析液をつり合せるためのバランスユニット（４１）を含み、前記ポータブル限外ろ過ユニット（Ａ）に供給するための前記固定装置（Ｂ）は、流体接続が前記ポータブル限外ろ過ユニット（Ａ）に新鮮な透析液を送り込みかつ前記ポータブル限外ろ過ユニット（Ａ）から使用された透析液をドレーン管又は容器に除去するために確立できるように設計され、それによって透析処理が前記ポータブル限外ろ過ユニット（Ａ）を用いて実行でき、前記固定装置（Ｂ）は、前記ポータブル限外ろ過ユニット（Ａ）に新鮮な透析液を送り込み、かつ前記ポータブル限外ろ過ユニット（Ａ）から使用された透析液を除去するための流体接続を確立するドッキングステーション（４３）を含むことを特徴とする固定装置（Ｂ）。
【請求項２】
前記固定装置（Ｂ）は、体外血液回路（３０）及び透析液システム（３５）を含む体外血液処理のための装置の形態であることを特徴とする透析液をポータブル限外ろ過ユニット（Ａ）に供給するための請求項１に記載の固定装置（Ｂ）。
【請求項３】
ポータブル限外ろ過ユニット（Ａ）に透析液を供給するための請求項１又は２に記載の固定装置（Ｂ）を含む治療システムであって、前記ポータブル限外ろ過ユニット（Ａ）は、血液を送るための血液ポンプ（７）と、限外ろ過液を送るための限外ろ過ポンプ（６）とを含み、
前記ポータブル限外ろ過ユニット（Ａ）は、透析液を前記ポータブル限外ろ過ユニット（Ａ）に供給するための前記固定装置（Ｂ）に接続する前記ポータブル限外ろ過ユニット（Ａ）の形態であり、それによって流体接続は、新鮮な透析液を送り込みかつ使用された透析液を除去するために確立でき、透析処理が前記ポータブル限外ろ過ユニット（Ａ）を用いて実行できることを特徴とする治療システム。
【請求項４】
前記ポータブル限外ろ過ユニット（Ａ）は、新鮮な透析液のための供給ライン（４７）用第１透析液接続（２２）と、使用された透析液のための除去ライン（４８）用第２透析液接続（２３）とを含むことを特徴とする請求項３に記載の治療システム。
【請求項５】
前記ポータブル限外ろ過ユニット（Ａ）は、半透膜によって第１チャンバと第２チャンバとに分けられるフィルタ（１３）の前記第１チャンバの入口のための第１フィルタ接続（１８）、及び前記フィルタの前記第１チャンバの出口（１５）のための第２フィルタ接続（１９）を含み、並びに前記フィルタの前記第２チャンバの入口（１６）のための第３フィルタ接続（２０）、及び前記フィルタの前記第２チャンバの出口（１７）のための第４フィルタ接続（２１）を含むことを特徴とする請求項３又は４に記載の治療システム。
【請求項６】
前記第１透析液接続（２２）と前記第３フィルタ接続（２０）とを接続する第１透析液接続ライン（２４）が設けられ、かつ前記第２透析液接続（２３）と前記第４フィルタ接続（２１）とを接続する第２透析液接続ライン（２５）が設けられていることを特徴とする請求項５に記載の治療システム。
【請求項７】
前記限外ろ過ポンプ（６）の入口につながる限外ろ過液ライン部（２６Ａ）は、前記第３フィルタ接続（２０）と流体連通しており、及び／又は前記限外ろ過ポンプの入口につながる限外ろ過液ライン部（２６Ｂ）は、前記第４フィルタ接続（２１）と流体連通しており、限外ろ過液を入れるための容器（２）につながる限外ろ過液ライン部（２６Ｃ）は、前記限外ろ過ポンプ（６）の出口に接続されることを特徴とする請求項５又は６に記載の治療システム。
【請求項８】
前記ポータブル限外ろ過ユニット（Ａ）は、血液を前記フィルタ（１３）の前記第１チャンバに送り込むための前記第１フィルタ接続（１９）につながる第１血液ライン（２７）と、前記フィルタ（１３）の前記第１チャンバから血液を除去するための前記第２フィルタ接続（１８）から出る第２の血液ライン（２８）とを含むことを特徴とする請求項５〜７のいずれか１項に記載の治療システム。
【請求項９】
前記ポータブル限外ろ過ユニット（Ａ）は、前記血液ポンプ（７）及び前記限外ろ過ポンプ（６）のための制御ユニット（８）を含むことを特徴とする請求項３〜８のいずれか１項に記載の治療システム。
【請求項１０】
前記制御ユニット（８）は、前記ポータブル限外ろ過ユニット（Ａ）の前記制御ユニット（８）と、透析液を前記ポータブル限外ろ過ユニット（Ａ）に供給するための前記固定装置（Ｂ）の制御ユニット（４２）との間の電気的接続を形成するための電気的接続（２９）を含むことを特徴とする請求項３〜９のいずれか１項に記載の治療システム。
【請求項１１】
前記ポータブル限外ろ過ユニット（Ａ）は、ユーザーインターフェース（９）を含むことを特徴とする請求項３〜１０のいずれか１項に記載の治療システム。
【請求項１２】
前記ポータブル限外ろ過ユニット（Ａ）は、ストラップによって患者の身体に着用されるユニットの形態であることを特徴とする請求項３〜１１のいずれか１項に記載の治療システム。
【請求項１３】
前記ポータブル限外ろ過ユニット（Ａ）は、前記血液ポンプ（７）及び前記限外ろ過ポンプ（６）を収容するキャリアユニット（１）を含むことを特徴とする請求項３〜１２のいずれか１項に記載の治療システム。
【発明の詳細な説明】
【発明の概要】
【０００１】
本発明は、血液を送るための血液ポンプと、限外ろ過液を送るための限外ろ過ポンプとを含むポータブル限外ろ過ユニットに関する。本発明はさらに、限外ろ過ユニットに透析液を供給するための固定装置、及びポータブル限外ろ過ユニットと、透析液を限外ろ過ユニットに供給するための固定装置とを含む治療システムに関する。
【０００２】
慢性腎不全の場合、装置に基づく血液処理のための様々な方法は、通常尿で排泄される物質を除去するために、及び流体を除去するために用いられる。血液透析（ＨＤ）において、フィルタの半透膜上の物質輸送は主に拡散性であるのに対して、血液ろ過（ＨＦ）において、フィルタ膜上の物質輸送は対流的である。２つの方法の組み合わせは血液透析ろ過（ＨＤＦ）と呼ばれる。
【０００３】
前述の血液処理方法を実行するための既知の装置は、体外血液回路と透析液システムとを含む。体外血液回路は、半透膜によって第１チャンバと第２チャンバとに分けられたフィルタ（透析器）の血液チャンバにつながる動脈血ラインと、第１チャンバから出る静脈血ラインとを含む。透析液システムは、フィルタの第２チャンバにつながる透析液供給ラインと、フィルタの第２チャンバから出る（leading away from）透析液除去ラインとを含む。
【０００４】
交換される量が多いため、患者に送り込まれた流体の量及び除去された流体の量は、処理の全期間にわたって正確につり合せなければならない。従って、体外血液処理のための既知の装置はバランスユニットを有する。
【０００５】
体外血液処理は、例えば２〜３日間隔で実行される。血液を洗浄することに加えて、最適な腎代替療法の目的はまた、血液中の血清容量を調節することでもある。このようにして、血液処理中、限外ろ過液の比容積が、フィルタ膜によって体外血液回路から除去される。例えば、約３リットルの流体が患者から除去される。流体が除去されると、血液中の血清容量が、処理中に再び増加する。血液中の血清容量が著しく増加した患者では、所望の限外ろ過目標に達していないため、血液処理が意図された時間内に完了できないことがある。
【０００６】
最適な腎代替療法のために、可能な限り短い間隔で血液処理を行うことが有利であろう。しかしながら、処理の間に時間を短縮することは、患者に大きな負担をかけるだけでなく、運搬上の問題もまた引き起こす。
【０００７】
例えば、血液透析（ＨＤ）、血液ろ過（ＨＦ）又は血液透析ろ過（ＨＤＦ）のような様々な血液処理を実行することができる固定された血液処理装置に加えて、ポータブル装置も知られているが、これは血液ろ過（ＨＦ）を実行するためにのみ使用できる。ポータブル限外ろ過装置は、限外ろ過に必要な固定された血液処理装置の構成要素のみを含む。その結果、限外ろ過を比較的簡単な方法で実行することができる。
【０００８】
本発明が解決しようとする課題は、血液処理を実行するために必要な装置をさらに単純化し、そのために必要な時間を短縮することである。
【０００９】
この問題は、請求項１及び１２の特徴によって本発明により解決される。従属請求項は、本発明の有利な実施形態に関する。
【００１０】
独立したユニットの形態において、本発明に係る限外ろ過ユニットは、限外ろ過ユニットが限外ろ過に必要な構成要素のみを有するため、血液ろ過処理（限外ろ過）を装置の点において比較的簡単な方法で実行することができる。患者は診療室だけでなく、自宅でも限外ろ過ユニットを使用して処理することができる。限外ろ過ユニットにより、追加の限外ろ過を、固定された透析機械を用いて血液処理の間により短い間隔で実行することができる。患者は、ポータブルユニットとして限外ろ過ユニットを運ぶことができる。限外ろ過ユニットの簡単な技術的設計により、バッテリー駆動の動作が可能になる。
【００１１】
しかしながら、本発明に係る限外ろ過ユニットは、血液処理の間の時間で流体を除去が可能であるだけではなく、むしろ前記ユニットはまた、透析液を限外ろ過ユニットに供給するための固定装置に接続されるユニットとしても形成され、そのような方法で流体接続は新鮮な透析液を送り込みかつ使用される透析液を除去するために確立できる。その結果、限外ろ過ユニットは、限外ろ過のために使用することができるだけではなく、例えば血液透析（ＨＤ）のような従来の血液処理装置によって実行される血液処理のために、透析液を限外ろ過ユニットに供給するための固定装置とともに用いることもできる。
【００１２】
さらなる利点が、透析液を限外ろ過ユニットに供給するための固定装置とともに使用すると生じる。血液処理を実行するために、限外ろ過ユニットを、透析液を限外ろ過ユニットに供給するための装置に接続するだけでよい。静脈及び動脈血ラインの患者接続を取り外したり、前記接続を患者に取り付けたりする必要はない。患者は限外ろ過ユニットに接続されたままであるので、血液処理の準備時間を、ポータブル限外ろ過ユニットにより大幅に短縮することができる。
【００１３】
透析液を限外ろ過ユニットに供給するための本発明に係る装置は、新鮮な透析液を供給するための装置、使用される透析液を除去するための装置、並びに新鮮な及び使用される透析液をつり合せるためのバランスユニットを有し、透析液を限外ろ過ユニットに供給するための装置は、流体接続が新鮮な透析液を限外ろ過ユニットに送り込み、かつ限外ろ過ユニットから使用される透析液を除去するために確立できるように設計される。
【００１４】
１つ以上のポータブル限外ろ過ユニット、及び透析液を限外ろ過ユニットに供給するための１つ以上の装置は、本発明に係る治療システムを形成する。
【００１５】
本発明に係る限外ろ過ユニットは、新鮮な透析液を供給し、及び使用される透析液を除去するために、並びに新鮮な透析液及び使用される透析液をつり合せるために必要なモジュールのみを含有する装置に接続することができる。しかしながら、透析液を限外ろ過ユニットに供給するための装置は、体外血液回路及び透析液システムを含む体外血液処理のための装置の形態であってもよい。しかしながら、この場合、限外ろ過ユニットは、透析液を供給、除去、及びつり合せるための構成要素のみを使用する。体外血液回路全体又は体外血液回路の少なくとも一部は、未使用のままにすることができる。透析液を限外ろ過ユニットに供給するためのこの実施形態の装置は、当該装置が限外ろ過ユニットなしでも動作することができるという点で有利である。
【００１６】
流体接続を確立するためにどの構成要素が使用されるかは、本発明の基本原理にとって重要ではない。限外ろ過ユニットは、好ましくは、新鮮な透析液のための供給ライン用第１透析液接続と、使用される透析液のための除去ライン用第２透析液接続とを含む。透析液接続は、様々なデザインを有することができる。流体接続は、簡単かつ確実な手段で形成できなければならない。例えば既知のハンセンカップリングのような、既知のコネクタをこの目的のために使用することができる。新鮮な透析液を限外ろ過ユニットに送り込み、かつ限外ろ過ユニットから使用される透析液を除去するための流体接続を確立するために、ドッキングステーションは、好ましくは限外ろ過ユニットが供給装置に簡単かつ確実に接続できるように設けられている。
【００１７】
限外ろ過ユニットのフィルタは、好ましくは、一人用（ディスポーザブル）に設計される交換可能なフィルタである。既知のフィルタは、半透膜によって分けられる、第１チャンバと第２チャンバとを含む。既知のフィルタの第１チャンバ及び第２チャンバは、それぞれ入口と出口を有する。フィルタを接続するために、限外ろ過ユニットは、フィルタの第１チャンバの入口のための第１フィルタ接続、及びフィルタの第１チャンバの出口のための第２フィルタ接続を含み、並びにフィルタの第２チャンバの入口のための第３フィルタ接続、及びフィルタの第２チャンバの出口のための第４フィルタ接続を含む。
【００１８】
限外ろ過ユニットの好ましい実施形態は、第１透析液接続と第３フィルタ接続とを接続する第１透析液接続ラインと、第２透析液接続と第４フィルタ接続とを接続する第２透析液接続ラインとを提供する。その結果、直接の流体接続が、関連する構成要素の間に確立される。接続ラインは、恒久的に確立されている又は交換可能な管路（tube lines）であってもよい。適したコネクタを、ラインを交換するために設けることができる。
【００１９】
さらなる好ましい実施形態は、限外ろ過ポンプの入口、第３フィルタ接続につながる限外ろ過液ライン部の流体接続、及び／又は限外ろ過ポンプの入口、第４フィルタ接続につながる限外ろ過液ライン部の流体接続、限外ろ過ポンプの出口に接続され、限外ろ過液を入れるための容器につながる限外ろ過液ライン部を設ける。このようにして、限外ろ過液は１つのフィルタ接続又は２つのフィルタ接続を介して除去することができる。このプロセスにおいて、関連するライン部を直接に又は追加のライン部を介してのいずれかによってフィルタ接続に接続することができる。流体接続を遮断するために、遮断バルブなどを、ライン部に確立することもできる。
【００２０】
限外ろ過ユニットの体外血液回路は、第１に、患者から出る動脈血ラインと、第２に、患者につながる静脈血ラインとを含む。
【００２１】
動脈血ラインは、血液がフィルタの第１チャンバに流れ込むことができるようにフィルタの第１フィルタ接続につながり、一方、静脈血ラインは、血液がフィルタの第１チャンバから流れ出すことができるように第２フィルタ接続から出る。
【００２２】
血液ラインは、好ましくは使い捨て（ディスポーザブル）のチューブセット（tube set）の構成部分である。好ましくは、限外ろ過ポンプは、好ましくはチューブセットの静脈血ラインを簡単な方法で挿入できるローラーポンプ（roller pump）である。この目的のために、血液ラインは適切なコネクタを有することができる。
【００２３】
限外ろ過ユニットは、好ましくは血液ポンプ及び限外ろ過ポンプのための制御ユニットを含み、このユニットは、好ましくはポンプの適切な動作を確保するために様々な構成を有することができる。制御ユニットは、例えばポンプの必要な速度を指定することができ、当該制御ユニットはまた、ポンプの速度を監視することもできる。さらに、制御ユニットは、アラーム機能を担うこともできる。
【００２４】
特に好ましい実施形態において、制御ユニットは、２つの制御ユニットが互いに通信できるように、限外ろ過ユニットの制御ユニットと透析液を限外ろ過ユニットに供給するための装置の制御ユニットとの間の電気的接続を確立する電気的接続を含む。制御ユニットは、データ交換に適したインタフェースを持つことができる。電気的接続は、様々なデザインを有することができる。電気的接続を確立するために、ドッキングステーションは、好ましくは、限外ろ過ユニットが簡単かつ確実に、供給装置に電気的に接続できるように設けられる。ドッキングステーションは、好ましくは、流体接続及び電気的接続に必要な全ての接続を含む。
【００２５】
限外ろ過ユニットはさらに、様々なデザインを有することができるユーザーインターフェースを含む。ユーザーインターフェースは、入力ユニット及び表示ユニットを含むことができる。入力ユニットは、例えばスイッチ又はボタンのような１つ以上の動作要素を含むことができ、表示ユニットは、スクリーンを含むことができる。しかしながら、操作は、タッチスクリーンでも行なうことができる。最も簡単なケースでは、入力ユニットは、ポンプのオンとオフを切り替えるための動作要素を１つだけ含む。
【００２６】
別の特に好ましい実施形態において、限外ろ過ユニットは、患者が自身の行動が著しく制限されることなく限外ろ過ユニットを持ち運ぶことができるように、ストラップによって患者の身体に着用されるユニットとして形成される。限外ろ過ユニットは、例えばバッグ又はリュックサックの形態を取ることができる。しかしながら、限外ろ過ユニットは、可動スタンド上に懸架されたユニットの形態であってもよい。この目的のために、限外ろ過ユニットは適切な締結要素、例えばフック又はアイレット（小穴）を有することができる。
【００２７】
限外ろ過ユニットは、好ましくは血液ポンプ及び限外ろ過ポンプを収容するキャリユニットを含み、そのキャリアユニットは、例えば制御ユニットのような限外ろ過ユニットの追加の構成要素を収容することもできる。限外ろ過液は、例えば患者が持ち運びできるポーチのような容器に集めることができる。ポーチは患者によって、好ましくはキャリアユニットとは独立して運ばれる。この目的のために、容器はストラップによって患者の身体に着用されるユニットの形態であってもよい。
【００２８】
本発明の実施形態について、以下の図面を参照してより詳細に説明する。
【図面の簡単な説明】
【００２９】
【図１】図１の（Ａ）は、本発明に係る限外ろ過ユニットの単純化された概略図であり、図１の（Ｂ）は、図１の（Ａ）の限外ろ過ユニットの側面図であり、図１の（Ｃ）は、図１の（Ａ）の限外ろ過ユニットの平面図である。
【図２Ａ】図２Ａは、サイドバッグの形態であって、限外ろ過ユニットのキャリアユニットを示す。
【図２Ｂ】図２Ｂは、リュックサックの形態であって、限外ろ過ユニットの限外ろ過液を入れるための容器を示す。
【図３】図３は、本発明に係る限外ろ過ユニット及び透析液を限外ろ過ユニットに供給するための本発明に係る装置の非常に単純化された概略図である。
【００３０】
図１の（Ａ）、（Ｂ）及び（Ｃ）は、本発明に係る限外ろ過ユニットの必須の構成要素の単純化された概略図である。限外ろ過ユニットは、機械部品を含有するキャリアユニット１と、限外ろ過液を入れるための容器２とを含む。
【００３１】
キャリアユニット１は、ショルダーバッグ又はサイドバッグの形態であって、当該キャリアユニット１は、患者が肩の周りにキャリアユニット１を掛けることができるように、側面にキャリーストラップ３を含む。図２Ａは、キャリアユニット１とともに患者を示す。限外ろ過液を入れるための容器２は、ストラップ４によって患者の背中に着用されるリュックサックの形態である。図２Ｂは容器２とともに患者を示す。容器２は柔軟性のあるプラスチックのポーチであってもよい。
【００３２】
キャリアユニット１は、限外ろ過ポンプ６及び血液ポンプ７、特にローラーポンプを収容するハウジングボディ５を含む。ハウジングボディ５内には、限外ろ過ポンプ６及び血液ポンプ７が制御される制御ユニット８もまたある。ハウジングボディ５の上面には、スイッチ又はボタン１０Ａ，１０Ｂを有する入力ユニット１０と、スクリーン１１Ａを有する表示ユニット１１とを含むユーザーインターフェース９がある。
【００３３】
２つの長手方向側面の一方に、ハウジングボディ５は、フィルタ１３（透析器）を挿入するためのマウント１２を含み、一人用に設計される。フィルタ１３は、半透膜によって第１チャンバと、第２チャンバとに分けられる従来の透析フィルタであってもよい。第１チャンバは側面の入口１４及び出口１５を含み、第２チャンバは側面の入口１６及び出口１７を含む。フィルタ１３を接続するために、キャリアユニット１は、フィルタ１３の第１チャンバの入口１５のための第１フィルタ接続１８、当該フィルタの第１チャンバの出口１５のための第２フィルタ接続１９、当該フィルタの第２チャンバの入口１６のための第３フィルタ接続２０、及び当該フィルタの第２チャンバの出口１７のための第４フィルタ接続２１を有する。これら接続をハウジングボディの２つの長手方向側面の一方に設けることができる。ハウジングボディの反対の長手方向側面には、限外ろ過装置Ａが透析液を限外ろ過ユニットに供給するための装置Ｂ（図１の（Ａ）〜（Ｃ）には図示せず）に接続できるように、第１透析液接続２２及び第２透析液接続２３がある。第１透析液接続ライン２４は第１透析液接続２２と第３フィルタ接続２０とを接続し、第２透析液接続ライン２５は第２透析液接続２３と第４フィルタ接続１７とを接続する。限外ろ過ライン２６のライン部２６Ａは第１透析液接続ライン２４から分岐し、限外ろ過ライン２６のライン部２６Ｂは第２透析液接続ライン２５から分岐する。限外ろ過ライン２６の２つのライン部２６Ａ，２６Ｂは、限外ろ過ポンプ６の入口につながり、そして限外ろ過液は、限外ろ過ポンプ６によってフィルタ１３の第２チャンバから除去することができる。限外ろ過ライン２６のさらなるライン部２６Ｃは、限外ろ過ポンプ６の出口と限外ろ過液を入れるための容器２の入口とを接続する。
【００３４】
体外血液回路は、一人用に設計される構成部分のチューブセットである、動脈患者接続２７Ａを有する動脈血ライン２７と静脈患者接続２８Ａを有する静脈血ライン２８とを含む。動脈血ライン２７及び静脈血ライン２８は、第１及び第２フィルタ接続１８，１９に直接に接続することができ、すなわちフィルタ接続は使い捨て可能な構成部分であり、もしくは血液ラインは、ハウジグボディに恒久的に導入されるフィルタ接続に接続することができる適切なコネクタに設けることができる。動脈血ライン２７は、ローラーポンプ７がフィルタ１３の第１チャンバ（血液チャンバ）を介して患者から血液を送ることができるように、ローラーポンプ７に挿入し、限外ろ過ポンプ６はフィルタの第２チャンバから限外ろ過液を除去することができる。
【００３５】
データ交換の目的のために、制御ユニット８は、ハウジングボディ５の２つの長手方向側面の一方に設けられる電気的接続２９を含む。
【００３６】
限外ろ過ユニットＡは、追加の構成要素を含むことができるが、図１の（Ａ）〜（Ｃ）には示していない。例えば、限外ろ過ユニットを動作するためのラインを閉じることができるように、第１及び第２接続ライン２４，２５にそれぞれの場合にバルブを設けることができる。しかしながら、透析液接続２２，２３を、適切なコネクタを当該接続に接続するときにのみ開く接続として設計することも可能である。
【００３７】
しかしながら、限外ろ過ユニットＡはまた、透析液を限外ろ過ユニットに供給するための本発明に係る装置Ｂとともに動作することもできる。図３は、限外ろ過ユニットＡ及び供給装置Ｂを含む治療システムの非常に単純化された概略図である。図３は、本発明に必須の供給装置Ｂのモジュールのみを示す。
【００３８】
供給装置Ｂは、別個の体外血液回路を有する血液処理装置とすることができ、供給装置を血液処理装置として独立して動作させることができる。しかしながら、供給装置は限外ろ過ユニットに供給するために必要なモジュールのみを有することも可能である。
【００３９】
本実施形態において、供給装置Ｂは体外血液回路３０を含むが、供給装置とともに限外ろ過装置Ａの動作のために未使用のままである。体外血液回路３０は、透析器３２の血流チャンバ３１につながる動脈血ライン３３と、当該血液チャンバから出る静脈血ライン３４とを含む。体外血液回路３０内に血液を送るために、血液ポンプ５１が動脈血ライン３３に設けられる。
【００４０】
供給装置Ｂの透析液システム３５は装置３６を含み、当該装置は新鮮な透析液を供給するために様々なデザインを有することができる。本実施形態において、新鮮な透析液を供給するための装置３６は、ＲＯ水及び濃縮液を混合するための混合ユニット３６Ａと、透析液を加熱するための加熱ユニット３６Ｂとを含む。ＲＯ水は、水接続３６Ｃを介して送り込むことができ、濃縮液は、濃縮液容器３６Ｄ内に供給することができる。新鮮な透析液を供給するための装置３６はまた、例えば脱気ユニットのような追加の、既知の構成要素を有することもできる。
【００４１】
血液処理装置として独立して動作することができる、供給装置Ｂの透析液システム３５は、透析器３２の透析液チャンバ３７につながる透析液供給ライン３８と、透析器の透析液チャンバから出る、かつドレーン管又は容器４０につながる透析液除去ライン３９とを含む。さらに、透析液システム３５は、新鮮な及び使用される透析液をつり合せることを対象としたバランスユニット４１を含み、バランスチャンバ４１Ａ，４１Ｂを有することができる。
【００４２】
全ての機械部品を制御するために、中央制御ユニット４２が設けられる。
【００４３】
新鮮な透析液を供給するための装置３６、混合ユニット３６Ａと加熱ユニット３６Ｂ、濃縮液容器３６Ｃ、バランスユニット４１、及び制御ユニット４２のみは、透析液を限外ろ過ユニットに供給するために必要である。
【００４４】
限外ろ過ユニットＡを接続するために、当該ユニットは交換可能なモジュールの形態であり、供給装置Ｂはドッキングステーション４３を含み、当該ドッキングステーションは全ての接続を確立するために使用できる。ドッキングステーション４３は、限外ろ過ユニットＡのそれぞれ第１及び第２透析液接続２２，２３のための第１コネクタ４４及び第２コネクタ４５と、限外ろ過ユニットの電気的接続２９のための電気的接続部４６とを含む。第１コネクタ４４は、新鮮な透析液のための供給ライン４７に接続し、第２コネクタ４５は、使用される透析液のための除去ライン４８に接続する。供給ライン４７及び除去ライン４８は、透析液システム３５上の接続ポイント４９（図３の表示でのみ示されている）で接続し、新鮮な透析液を透析液システムから除去することができるポイント、及び使用される透析液を透析液システムに送り込むことができるポイントにそれぞれ接続する。透析液システムにおいて、新鮮な透析液は、新鮮な透析液を供給するための装置３６によって供給し、ドレーン管又は容器４０に除去し、新鮮な及び使用される透析液は、バランスユニット４１によってつり合う。限外ろ過ユニットとともに動作するために、バルブ装置５０（図３の表示でのみ示されている）は、体外血液回路３０を隔離するように設計し、提供する。
【００４５】
限外ろ過ユニットＡを供給装置Ｂに接続する場合（図３）、新鮮な透析液は、限外ろ過ユニットＡのフィルタ１３の第２チャンバ（透析液チャンバ）を通って流れ、一方、限外ろ過液は、限外ろ過ライン２６を介して第２チャンバから除去される。その結果、限外ろ過ユニットＡは、普遍的に使用することができ、透析処理の間に限外ろ過を可能にするだけでなく、供給装置Ｂとともに透析処理することも可能にする。
以下に、本願の出願当初の特許請求の範囲に記載された発明を付記する。
［Ｃ１］
血液を送るための血液ポンプ（７）と、限外ろ過液を送るための限外ろ過ポンプ（６）とを含むポータブル限外ろ過ユニットであって、
前記限外ろ過ユニットは、透析液を前記限外ろ過ユニットに供給するための固定装置（Ｂ）に接続するユニット（Ａ）の形態であり、それによって流体接続は、新鮮な透析液を送り込みかつ使用される透析液を除去するために確立でき、透析処理が前記限外ろ過ユニットを用いて実行できることを特徴とするポータブル限外ろ過ユニット。
［Ｃ２］
前記限外ろ過ユニット（Ａ）は、新鮮な透析液のための供給ライン（４７）用第１透析液接続（２２）と、使用される透析液のための除去ライン（４８）用第２透析液接続（２３）とを含むことを特徴とするＣ１に記載のポータブル限外ろ過ユニット。
［Ｃ３］
前記限外ろ過ユニット（Ａ）は、半透膜によって第１チャンバと第２チャンバとに分けられるフィルタ（１３）の前記第１チャンバの入口のための第１フィルタ接続（１８）、及び前記フィルタの前記第１チャンバの出口（１５）のための第２フィルタ接続（１９）を含み、並びに前記フィルタの前記第２チャンバの入口（１６）のための第３フィルタ接続（２０）、及び前記フィルタの前記第２チャンバの入口（１７）のための第４フィルタ接続（２１）を含むことを特徴とするＣ１又は２のいずれか１項に記載のポータブル限外ろ過ユニット。
［Ｃ４］
前記第１透析液接続（２２）と前記第３フィルタ接続（２０）とを接続する第１透析液接続ライン（２４）が設けられ、かつ前記第２透析液接続（２３）と前記第４フィルタ接続（２１）とを接続する第２透析液接続ライン（２５）が設けられていることを特徴とするＣ３に記載のポータブル限外ろ過ユニット。
［Ｃ５］
限外ろ過ポンプ（６）の入口につながる限外ろ過液ライン部（２６Ａ）は、前記第３フィルタ接続（２０）と流体連通しており、及び／又は前記限外ろ過ポンプの入口につながる限外ろ過液ライン部（２６Ｂ）は、前記第４フィルタ接続（２１）と流体連通しており、限外ろ過液を入れるための容器（２）につながる限外ろ過液ライン部（２６Ｃ）は、前記限外ろ過ポンプ（６）の出口に接続されることを特徴とするＣ３又は４のいずれか１項に記載のポータブル限外ろ過ユニット。
［Ｃ６］
前記限外ろ過ユニット（Ａ）は、血液を前記フィルタ（１３）の前記第１チャンバに送り込むための前記第１フィルタ接続（１９）につながる第１血液ライン（２７）と、前記フィルタ（１３）の前記第１チャンバから血液を除去するための前記第２フィルタ接続（１８）から出る血液ラインとを含むことを特徴とするＣ３〜５のいずれか１項に記載のポータブル限外ろ過ユニット。
［Ｃ７］
前記限外ろ過ユニット（Ａ）は、前記血液ポンプ（７）及び前記限外ろ過ポンプ（６）のための制御ユニット（８）を含むことを特徴とするＣ１〜６のいずれか１項に記載のポータブル限外ろ過ユニット。
［Ｃ８］
前記制御ユニット（８）は、前記限外ろ過ユニット（Ａ）の前記制御ユニット（８）と、透析液を前記限外ろ過ユニットに供給するための前記装置（Ｂ）の制御ユニット（４２）との間の電気的接続を形成するための電気的接続（２９）を含むことを特徴とするＣ１〜７のいずれか１項に記載のポータブル限外ろ過ユニット。
［Ｃ９］
前記限外ろ過ユニット（Ａ）は、ユーザーインターフェース（９）を含むことを特徴とするＣ１〜８のいずれか１項に記載のポータブル限外ろ過ユニット。
［Ｃ１０］
前記限外ろ過ユニットは、ストラップによって患者の身体に着用されるユニットの形態であることを特徴とするＣ１〜９のいずれか１項に記載のポータブル限外ろ過ユニット。
［Ｃ１１］
前記限外ろ過ユニット（Ａ）は、前記血液ポンプ（７）及び前記限外ろ過ポンプ（６）を収容するキャリアユニット（１）を含むことを特徴とするＣ１〜１０のいずれか１項に記載のポータブル限外ろ過ユニット。
［Ｃ１２］
透析液をＣ１〜１１のいずれか１項に記載の限外ろ過ユニットに供給するための装置であって、
新鮮な透析液を供給するための装置（３６）、使用される透析液を除去するための装置（４０）、並びに新鮮な及び使用される透析液をつり合せるためのバランスユニット（４１）を含み、前記限外ろ過ユニット（Ａ）に供給するための前記装置（Ｂ）は、流体接続が新鮮な透析液を送り込みかつ使用される透析液を除去するために確立できるように設計され、それによって透析処理が前記限外ろ過ユニットを用いて実行できる装置。
［Ｃ１３］
前記装置（Ｂ）は、前記限外ろ過ユニット（Ａ）に新鮮な透析液を送り込み、かつ前記限外ろ過ユニットから使用される透析液を除去するための流体接続を確立するドッキングステーション（４３）を含むことを特徴とする透析液を限外ろ過ユニットに供給するためのＣ１２に記載の装置。
［Ｃ１４］
前記装置（Ｂ）は、体外血液回路（３０）及び透析液システム（３５）を含む体外血液処理のための装置の形態であることを特徴とする透析液を限外ろ過ユニットに供給するためのＣ１２又は１３のいずれか１項に記載の装置。
［Ｃ１５］
治療システムであって、
Ｃ１〜１１のいずれか１項に記載のポータブル限外ろ過ユニット（Ａ）、及び透析液を限外ろ過ユニットに供給するためのＣ１２〜１５のいずれか１項に記載の装置（Ｂ）を含む治療システム。
【図１】
0006577134.tif 000002
【図２Ａ】
0006577134.tif 000003
【図２Ｂ】
0006577134.tif 000004
【図３】
0006577134.tif 000005